(57)【要約】【課題】タッチパネルとカバーとの間にゴミが溜まることやタッチパネルの誤動作を招く虞が無く、しかもタッチパネルの長寿命化を図る。【解決手段】液晶表示器２５を取り付けた前側カバー２３の表示器取り付け部位に外側から１段目、２段目の段差部２８，２９を形成し、２段目の段差部２９にタッチパネル２６の縁部を嵌合し、１段目の段差部２８に保護シート２７の縁部を嵌合する。２段目の段差部２９の段差はタッチパネル２６の厚さに合わせ、１段目の段差部２８の段差は保護シート２７の厚さに合わせる。【選択図】      図５
2006126853.tif 000002
【特許請求の範囲】
【請求項１】
表示器をタッチパネル付きの表示器とし、この表示器を取り付けた前側カバーの表示器取り付け部位に外側から２段の段差を形成し、２段目の段差部には前記タッチパネルの縁部が嵌合するとともにその段差を前記タッチパネルの厚さに合わせ、１段目の段差部には透光性の保護シートの縁部を嵌合するとともにその段差を前記保護シートの厚さに合わせたことを特徴とする表示装置。
【発明の詳細な説明】
【技術分野】
【０００１】
本発明は、例えば、電子式秤やＰＯＳ（ポイント・オブ・セールス）端末などに使用される表示装置に関する。
【背景技術】
【０００２】
従来、電子式秤やＰＯＳ端末などに使用される表示装置としては、図６及び図７に示すものが知られている。これは、装置全体の筐体１を、表示面を設けた側の前側カバー２と背面側を覆う後側カバー３とで形成し、前側カバー２と後側カバー３は筐体１の側面の上下、左右の全てにおいて中央付近で嵌合する構成になっていた。また、表示面にはタッチパネル４が配置され、そのタッチパネル４の下側に液晶表示器（図示せず）が配置されるようになっている。タッチパネル４はその縁部を前側カバー２の裏面に両面テープが付いたゴムなどのスペーサ５を使用して固定していた。
【発明の開示】
【発明が解決しようとする課題】
【０００３】
このような構成の表示装置においては、前側カバー２と後側カバー３との嵌合部、特に、筐体１の上側面に位置する嵌合部から水が浸入して内部の電気部品に悪影響を及ぼす問題があった。すなわち、このような問題は、店内における生鮮食品売り場のような水滴などが付着する可能性が高い場所で使用する場合に発生する。
【０００４】
また、タッチパネル４と前側カバー２との間の生じる隙間６にゴミが溜まり易く、固めのゴミがその隙間６に挟まることがあるとタッチパネルのその部分を常時オン状態にするような誤動作を招く虞があった。また、タッチパネル４が表面に露出していたため、パネルが磨耗し易く、また、傷も付き易く、高価なタッチパネルの寿命を短くするという問題があった。
【０００５】
そこで、本発明は、タッチパネルとカバーとの間にゴミが溜まることやタッチパネルの誤動作を招く虞が無く、しかもタッチパネルの長寿命化を図ることができる表示装置を提供する。
【課題を解決するための手段】
【０００６】
本発明は、表示器をタッチパネル付きの表示器とし、この表示器を取り付けた前側カバーの表示器取り付け部位に外側から２段の段差を形成し、２段目の段差部には前記タッチパネルの縁部が嵌合するとともにその段差をタッチパネルの厚さに合わせ、１段目の段差部には透光性の保護シートの縁部を嵌合するとともにその段差を前記保護シートの厚さに合わせた表示装置にある。
【発明の効果】
【０００７】
以上詳述したように、本発明によれば、タッチパネルとカバーとの間にゴミが溜まることやタッチパネルの誤動作を招く虞が無く、しかもタッチパネルの長寿命化を図ることができる表示装置を提供できる。
【発明を実施するための最良の形態】
【０００８】
以下、本発明の実施の形態を、図面を参照して説明する。なお、この実施の形態は本発明を電子式秤に適用した場合について述べる。  
図１は電子式秤の外観を示す斜視図で、装置本体１１の上には載せ皿１２を設け、装置本体１１の前部には本発明の対象となる表示装置１３を配置するとともにラベル発行口１４を配置している。
【０００９】
前記表示装置１３は、図２に示すように、内部に表示制御のための電気部品を収納した装置筐体２１を、表示器２２を取り付けた前側カバー２３と背面側を覆う後側カバー２４とで形成し、前記前側カバー２３と後側カバー２４は、前記筐体２１の下側面及び左右両側面において中央付近で嵌合し、上側面においては前側カバー２３のみが覆うようにし、この上側面から回り込んだ背面側の縁部で嵌合している。
【００１０】
前記表示器２２は、図３に示すように、制御回路を一体に組み込んだ液晶表示器２５の上にタッチパネル２６を配置し、さらにその上に透光性、例えば透明な保護シート２７を配置した構成で、その取り付けは、図４及び図５に示すように、前記前側カバー２３の表示器取り付け部位に外側から１段目、２段目の段差部２８，２９を形成し、２段目の段差部２９に前記タッチパネル２６の縁部を嵌合し、１段目の段差部２８に前記保護シート２７の縁部を嵌合している。２段目の段差部２９の段差は前記タッチパネル２６の厚さに合わせてあり、１段目の段差部２８の段差は前記保護シート２７の厚さに合わせてある。
【００１１】
このような構成であれば、表示装置１３の上側に位置する上側面には前側カバー２３と後側カバー２４の嵌合部が存在しないので、上側面に水滴等が付着してもそれが装置内部に入り込む虞はない。これにより、前側カバー２３と後側カバー２４との嵌合部からの水の浸入を極力防止できる。
【００１２】
また、前側カバー２３の表示器取り付け部位に、外側から保護シート２７の厚さに合わせた段差を持つ段差部２８と、タッチパネル２６の厚さに合わせた段差を持つ段差部２９を形成し、段差部２９にタッチパネル２６の縁部を嵌合し、段差部２８に保護シート２７の縁部を嵌合するようにしているので、保護シート２７の表面は前側カバー２３の表面と面一になり、また、タッチパネル２６の表面は段差部２８の面と面一となり、保護シート２７を段差部２８の面に正しく貼り付けることにより、段差部２８からタッチパネル２６と保護シート２７との間にゴミが入り込んでタッチパネルを誤動作させる虞は無い。
【００１３】
また、保護シート２７でタッチパネル２６を保護するとともに保護シート２７は容易に交換することができる。しかも保護シート２７はタッチパネル２６に比べてきわめて安価である。従って、表面に傷が付いたり、又、磨耗したりしてもタッチパネル２６を交換すること無く、安価な保護シート２７のみを交換すればよい。
【００１４】
なお、この実施の形態は本発明を電子式秤に適用した場合について述べたが必ずしもこれに限定するものではなく、ＰＯＳ端末にも適用でき、特に、店内における生鮮食品売り場のような水滴などが付着する可能性が高い場所で使用する装置に対して有用である。
【図面の簡単な説明】
【００１５】
【図１】本発明の実施の形態を示す電子式秤の斜視図。
【図２】同実施の形態における表示装置の外観を示す斜視図。
【図３】同実施の形態における表示装置の断面図。
【図４】同実施の形態における表示装置の上部の部分拡大断面図。
【図５】同実施の形態における表示装置の段差部の拡大断面図。
【図６】従来の表示装置の外観を示す斜視図。
【図７】同表示装置の上部の部分拡大断面図。
【符号の説明】
【００１６】
１３…表示装置、２２…表示器、２３…前側カバー、２６…タッチパネル、２７…保護シート、２８，２９…段差部。
【図１】
2006126853.tif 000003
【図２】
2006126853.tif 000004
【図３】
2006126853.tif 000005
【図４】
2006126853.tif 000006
【図５】
2006126853.tif 000007
【図６】
2006126853.tif 000008
【図７】
2006126853.tif 000009